(57)【要約】【課題】データ端末が指示する給電優先度に従った給電を行うことが可能な給電優先度機能を有するＬＡＮシステムを提供する。【解決手段】ＬＡＮ配線を用いて電力を供給する給電ハブ１と給電ハブ１から電力を受電して動作する複数のＬＡＮ端末２，３を含むＬＡＮシステムにおいて、ＬＡＮ端末２，３に給電優先度を示す手段２４−２，２４−３を、給電ハブ１に給電優先度を認識する給電優先度認識手段１６−２，１６−３，１７を設け、給電ハブ１は、給電する電力量が予め定められた電力量を超過または超過と予測される時、給電優先度認識手段１６−２，１６−３，１７が認識した優先度の低いＬＡＮ端末への電力供給を停止または制限することを特徴とする。【選択図】図１
2007288401.tif 000002
【特許請求の範囲】
【請求項１】
ＬＡＮ配線を用いて電力を供給する給電ハブと前記給電ハブから電力を受電して動作する複数のＬＡＮ端末を含むＬＡＮシステムにおいて、前記ＬＡＮ端末に給電優先度を示す手段を、前記給電ハブに前記給電優先度を認識する給電優先度認識手段を設け、前記給電ハブは、給電する電力量が予め定められた電力量を超過または超過と予測される時、前記給電優先度認識手段が認識した給電優先度の低いＬＡＮ端末への電力供給を停止または制限することを特徴とする給電優先度機能を有するＬＡＮシステム。
【請求項２】
請求項１記載の給電優先度機能を有するＬＡＮシステムにおいて、前記給電優先度認識手段は、前記ＬＡＮ端末の接続および必要または必要と予測される電力量を検出する時間と、前記ＬＡＮ端末を起動する時間の間で、所定の電圧を用いて前記ＬＡＮ端末の給電優先度を検出して認識することを特徴とする給電優先度機能を有するＬＡＮシステム。
【請求項３】
ＬＡＮ配線を用いて電力を供給する給電ハブと前記給電ハブから電力を受電して動作する複数のＬＡＮ端末を含むＬＡＮシステムにおいて、前記ＬＡＮ端末に形態の異なる複数の接続が可能で且つ給電優先度に対応した接続を示す手段を、前記給電ハブに前記ＬＡＮ端末の前記給電優先度に対応した接続を認識する給電優先度認識手段を設け、前記給電ハブは、給電する電力量が予め定められた電力量を超過または超過と予測される時、前記給電優先度認識手段が認識した給電優先度の低いＬＡＮ端末への電力供給を停止または制限することを特徴とする給電優先度機能を有するＬＡＮシステム。
【発明の詳細な説明】
【技術分野】
【０００１】
本発明は、ＬＡＮ配線を用いて電力を供給する給電ハブと給電ハブから電力を受電して動作する複数のＬＡＮ端末を含むＬＡＮシステムに関し、特に給電ハブが供給可能な電力量を超過または超過が予測される時の給電優先度機能を有するＬＡＮシステムに関するものである。
【背景技術】
【０００２】
ＬＡＮ配線を用いた電力の給電については、標準規格ＩＥＥＥ８０２.３ａｆに準拠した給電側装置(以下給電ハブという)と給電対象端末の構成が存在している。またデータ端末に対する供給電力が所定量に達した際に電力供給を停止することが、例えば特許文献１に開示されている。さらに市販の給電ハブではＬＡＮインタフェース(ポート)毎の設定によって給電の優先度を管理する製品がすでに存在している。
【０００３】
【特許文献１】特開２０００−２４２３７６号公報
【発明の開示】
【発明が解決しようとする課題】
【０００４】
しかし、これらの装置における電力の供給優先度は、給電ハブ側ＬＡＮインタフェースの位置毎の設定により管理されるため、給電ハブとデータ端末を結ぶインタフェースケーブルを異なる位置に接続してしまった場合など、実際に優先的に動作電力を得たいデータ端末装置との対応がとれなくなることがある。
【０００５】
また、物理的な接続位置でデータ端末の給電優先度を指定していたので、内線番号などの固有情報に基づく論理的な管理ができない。またデータ転送手段を設けて論理的な優先度を伝達しようとすると、給電ハブやデータ端末などの構成が複雑化し、高価となったり、未対応機との相互接続性や汎用性の維持が困難になる。
【０００６】
本発明の目的は、データ端末が指示する給電優先度に従った給電を行うことが可能な給電優先度機能を有するＬＡＮシステムを提供することにある。
【課題を解決するための手段】
【０００７】
本発明は、ＬＡＮ配線を用いて電力を供給する給電ハブと前記給電ハブから電力を受電して動作する複数のＬＡＮ端末を含むＬＡＮシステムにおいて、前記ＬＡＮ端末に給電優先度を示す手段を、前記給電ハブに前記給電優先度を認識する給電優先度認識手段を設け、前記給電ハブは、給電する電力量が予め定められた電力量を超過または超過と予測される時、前記給電優先度認識手段が認識した給電優先度の低いＬＡＮ端末への電力供給を停止または制限することを特徴とする。
【０００８】
また本発明は、上記記載の発明において、前記給電優先度認識手段は、前記ＬＡＮ端末の接続および必要または必要と予測される電力量を検出する時間と、前記ＬＡＮ端末を起動する時間の間で、所定の電圧を用いて前記ＬＡＮ端末の給電優先度を検出して認識することを特徴とする。
【０００９】
さらに本発明は、ＬＡＮ配線を用いて電力を供給する給電ハブと前記給電ハブから電力を受電して動作する複数のＬＡＮ端末を含むＬＡＮシステムにおいて、前記ＬＡＮ端末に形態の異なる複数の接続が可能で且つ給電優先度に対応した接続を示す手段を、前記給電ハブに前記ＬＡＮ端末の前記給電優先度に対応した接続を認識する給電優先度認識手段を設け、前記給電ハブは、給電する電力量が予め定められた電力量を超過または超過と予測される時、前記給電優先度認識手段が認識した給電優先度の低いＬＡＮ端末への電力供給を停止または制限することを特徴とする。
【発明の効果】
【００１０】
本発明によれば、データ端末が指示する給電優先度に従った給電を行うことが可能な給電優先度機能を有するＬＡＮシステムを得ることができる。
【発明を実施するための最良の形態】
【００１１】
図１は、本発明による給電優先度機能を有するＬＡＮシステムの実施の形態の構成を示す図である。
【００１２】
図１において、ＬＡＮシステムは、ＬＡＮインタフェースケーブル１０−２，１０−３を用いて電力を供給する給電ハブ１と、給電ハブ１から電力を受電して動作する複数の給電ハブ対応データ端末２，３を含む。複数の給電ハブ対応データ端末は図示では２つの給電ハブ対応データ端末２，３であるが、３つ以上の給電ハブ対応データ端末であってもよい。
【００１３】
給電ハブ１は、端末給電用電源回路１１、給電監視回路１２、給電制御回路１３−２，１３−３、接続検出回路１４−２，１４−３、給電クラス検出回路１５−２，１５−３、本発明による給電優先度検出回路１６−２，１６−３と、各検出回路１４−２，１４−３，１５−２，１５−３，１６−２，１６−３の出力を図４の給電制御処理フローチャート例に従って処理し給電制御回路１３−２，１３−３を給電制御する給電管理部１７から構成される。
【００１４】
給電制御回路１３−２，１３−３、接続検出回路１４−２，１４−３、給電クラス検出回路１５−２，１５−３、給電優先度検出回路１６−２，１６−３は、複数の給電ハブ対応データ端末分備える。
【００１５】
このうち、給電制御回路１３−２、接続検出回路１４−２、給電クラス検出回路１５−２、給電優先度検出回路１６−２は、給電ハブ対応データ端末２対応の回路であり、ＬＡＮインタフェースケーブル（給電線路）１０−２を介して給電ハブ対応データ端末２に接続される。
【００１６】
また、給電制御回路１３−３、接続検出回路１４−３、給電クラス検出回路１５−３、給電優先度検出回路１６−３は、給電ハブ対応データ端末３対応の回路であり、ＬＡＮインタフェースケーブル（給電線路）１０−３を介して給電ハブ対応データ端末３に接続される。
【００１７】
一方、給電ハブ対応データ端末２は、ＬＡＮインタフェースケーブル（給電線路）１０−２に接続される受電回路２１−２、接続被検出回路２２−２、給電クラス被検出回路２３−２、本発明による給電優先度被検出回路２４−２から構成される。
【００１８】
また、給電ハブ対応データ端末３は、ＬＡＮインタフェースケーブル（給電線路）１０−３に接続される受電回路２１−３、接続被検出回路２２−３、給電クラス被検出回路２３−３、本発明による給電優先度被検出回路２４−３から構成される。
【００１９】
給電ハブ１の接続検出回路１４−２（１４−３）と、給電ハブ対応データ端末２の接続被検出回路２２−２（給電ハブ対応データ端末３の接続被検出回路２２−３）が対をなし、接続被検出回路２２−２（２２−３）の状態を接続検出回路１４−２（１４−３）で検出し、給電管理部１７が取得して、接続の有無を認識する。
【００２０】
給電ハブ１の給電クラス検出回路１５−２（１５−３）と、給電ハブ対応データ端末２の給電クラス被検出回路２３−２（給電ハブ対応データ端末３の給電クラス被検出回路２３−３）が対をなし、給電クラス被検出回路２３−２（２３−３）の状態を給電クラス検出回路１５−２（１５−３）で検出し、給電管理部１７が取得して、給電クラスを認識する。
【００２１】
給電ハブ１の給電優先度検出回路１６−２（１６−３）と、給電ハブ対応データ端末２の給電優先度被検出回路２４−２（給電ハブ対応データ端末３の給電優先度被検出回路２４−３）が対をなし、給電優先度被検出回路２４−２（２４−３）の状態を給電優先度検出回路１６−２（１６−３）で検出し、給電管理部１７が取得して、給電優先度を認識する。
【００２２】
給電ハブ１の給電管理部１７は、給電する電力量が予め定められた電力量を超過または超過と予測される時、認識した給電優先度の低いデータ端末への電力供給を停止または制限する。
【００２３】
図２は、図１における給電ハブ１の検出回路と給電ハブ対応データ端末２（３）の被検出回路の回路例を示す図である。また図３は、図２における供給電圧の例を示す図である。
【００２４】
図２における給電ハブ１の検出回路３１は、図１における接続検出回路１４−２（１４−３）、給電クラス検出回路１５−２（１５−３）、本発明による給電優先度検出回路１６−２（１６−３）を総称して表す。この検出回路３１は検出抵抗３１１を備えて構成される。
【００２５】
また、図２における給電ハブ対応データ端末２（３）の被検出回路３２は、図１における接続被検出回路２２−２（２２−３）、給電クラス被検出回路２３−２（２３−３）、本発明による給電優先度被検出回路２４−２，２４−３を総称して表す。
【００２６】
この被検出回路３２は被検出抵抗３２２（１）と被検出抵抗３２２（２）／３２２（３）とツェナーダイオード３２３（２）／３２３（３）とＦＥＴ３２４（２）／３２４（３）を備えて構成される。なお、被検出抵抗３２２（２）とツェナーダイオード３２３（２）とＦＥＴ３２４（２）は給電クラス用の被検出素子、被検出抵抗３２２（３）とツェナーダイオード３２３（３）とＦＥＴ３２４（３）は給電優先度用の被検出素子であり、ブロック構成としては並列に接続される。
【００２７】
給電ハブ１に、時間経緯によって異なる電圧Ｖｔｅｓｔが供給される。この電圧Ｖｔｅｓｔは給電管理部１７の指示に基づき端末給電用電源回路１１より給電監視回路１２を経由して給電ハブ１に供給される。
【００２８】
電圧Ｖｔｅｓｔが検出抵抗３１１で電圧降下して給電ハブ対応データ端末２（３）への供給電圧Ｖａｂとなる。その給電ハブ対応データ端末２（３）への供給電圧Ｖａｂは、図３に図示のように、時間経緯によって異なる電圧である。
【００２９】
供給電圧Ｖａｂは、時間経過がｔ１〜ｔ２の間では、２．７Ｖから１０．１Ｖの間の一定電圧４１であり、この一定電圧４１が給電ハブ対応データ端末２（３）の図１に示す接続被検出回路２２−２（２２−３）に供給されて図２に示す被検出抵抗３２２（１）及び、給電ハブ１の図１に示す接続検出回路１４−２（１４−３）における図２に示す検出抵抗３１１に電流が流れることで、図１の給電管理部１７は接続有りを検出する。給電ハブ対応データ端末２（３）の接続被検出回路２２−２（２２−３）が無い場合は、図２の検出抵抗３１１に電流が流れないので、図１の給電管理部１７は接続無しを検出する。
【００３０】
供給電圧Ｖａｂは、時間経過がｔ３〜ｔ４の間では、１４．５Ｖから２０．５Ｖの間の一定電圧４２であり、この一定電圧４２が給電ハブ対応データ端末２（３）の図１に示す給電クラス被検出回路２３−２（２３−３）の図２に示すツェナーダイオード３２３（２）のツェナー電圧を満たすとＦＥＴ３２４（２）がＯＮとなるように構成されており、この時給電ハブ１の図１に示す給電クラス検出回路１５−２（１５−３）における図２に示す検出抵抗３１１に、被検出抵抗３２２（２）の抵抗値に従った電流が流れ、図１の給電管理部１７が取得して給電クラスを認識する。
【００３１】
供給電圧Ｖａｂは、時間経過がｔ５〜ｔ６の間では、２４Ｖから２７Ｖの間の一定電圧４３であり、この一定電圧４３が給電ハブ対応データ端末２（３）の図１に示す給電優先度被検出回路２４−２（２４−３）の図２に示すツェナーダイオード３２３（３）のツェナー電圧を満たすとＦＥＴ３２４（３）がＯＮとなるように構成されており、この時給電ハブ１の給電優先度検出回路１６−２（１６−３）における図２に示す検出抵抗３１１に、被検出抵抗３２２（３）の抵抗値に従った電流が流れ、図１の給電管理部１７が取得して給電優先度を認識する。
【００３２】
そして時間経緯がｔ７の時に、給電ハブ１が各ＬＡＮインタフェース１０−２，１０−３を通して複数の給電ハブ対応データ端末２，３に給電を行う際、給電管理部１７により、給電する電力量が予め定められた電力量を超過または超過すると予測される時、認識した給電優先度のうち給電優先度の低いＬＡＮ端末への電力供給を停止または制限する。
これにより、データ端末が指示する給電優先度に従った給電を行うことが可能となる。
【００３３】
図４Ａ，図４Ｂは、図１の給電ハブ１の給電管理部１７による複数の給電ハブ対応データ端末２，３への給電制御処理フローチャートの例を示す図である。
【００３４】
給電ハブ１は、まず、データ端末２に対する制御を行う。
初期段階としてＩＥＥＥ８０２.３ａｆ規格に基づき、接続被検出回路２２−２の状態を接続検出回路１４−２で検出し、給電管理部１７が取得する（Ｓ４０１）。
次に、給電管理部１７が接続被検出回路２２−２の状態を判断し、接続の有無を認識する（Ｓ４０２）。
接続有りの場合、次に、給電クラス被検出回路２３−２の状態を給電クラス検出回路１５−２で検出し、給電管理部１７が取得する（Ｓ４０３）。
次に、給電優先度被検出回路２４−２の状態を給電優先度検出回路１６−２で検出し、給電管理部１７が取得する（Ｓ４０４）。
そして、給電制御回路１３−２をＯＮにしてデータ端末２に電力供給を開始する（Ｓ４０５）。
上記Ｓ４０２において、接続無しの場合は、給電制御回路１３−２をＯＦＦにしてデータ端末２に電力供給をしない（Ｓ４０６）。
【００３５】
給電ハブ１は、次に、データ端末３に対する制御を行う。
初期段階としてＩＥＥＥ８０２.３ａｆ規格に基づき、接続被検出回路２２−３の状態を接続検出回路１４−３で検出し、給電管理部１７が取得する（Ｓ４０７）。
次に、給電管理部１７が接続被検出回路２２−３の状態を判断し、接続の有無を認識する（Ｓ４０８）。
接続有りの場合、次に、給電クラス被検出回路２３−３の状態を給電クラス検出回路１５−３で検出し、給電管理部１７が取得する（Ｓ４０９）。
次に、給電優先度被検出回路２４−３の状態を給電優先度検出回路１６−３で検出し、
給電管理部１７が取得する（Ｓ４１０）。
【００３６】
次に、給電管理部１７は、上記Ｓ４０３で取得したデータ端末２の給電クラスと、上記Ｓ４０９で取得したデータ端末３の給電クラスから、供給する電力量を算出する（Ｓ４１１）。
次に、給電管理部１７は、供給する電力量が予め定められた電力量を超過するかを予測判断する（Ｓ４１２）。
【００３７】
Ｓ４１２でＹｅｓの場合、次に、給電管理部１７は、上記Ｓ４０４で取得したデータ端末２の給電優先度が上記Ｓ４１０で取得したデータ端末３の給電優先度より大きいかを判断する（Ｓ４１３）。
Ｓ４１３でＮｏの場合、次に、給電管理部１７は、給電制御回路１３−２をＯＦＦにしてデータ端末２への電力供給を停止する（Ｓ４１４）。
そして、次に、給電管理部１７は、給電制御回路１３−３をＯＮにしてデータ端末３に電力供給を開始する（Ｓ４１５）。
上記Ｓ４１２でＮｏの場合も、給電管理部１７は、給電制御回路１３−３をＯＮにしてデータ端末３に電力供給を開始する（Ｓ４１５）。
【００３８】
上記Ｓ４０８で接続無しの場合および上記Ｓ４１３でＹｅｓの場合は、給電制御回路１３−３をＯＦＦにしてデータ端末３に電力供給をしない（Ｓ４１６）。
【００３９】
図５は、本発明による給電優先度機能を有するＬＡＮシステムの他の実施の形態の構成を示す図である。
【００４０】
本実施の形態は、標準規格ＩＥＥＥ８０２.３ａｆで示されるデータ端末装置の接続検出を、給電ハブに、形態の異なる複数の接続例えば抵抗型接続検出回路と容量型接続検出回路を設け、データ端末に、抵抗型被接続検出回路と容量型接続被検出回路を優先度に対応して両方または一方を設けることにより、給電ハブで、データ端末の優先度を認識し、給電する電力量が予め定められた電力量を超過または超過と予測される時、認識した優先度の低いＬＡＮ端末への電力供給を停止または制限することにある。
【００４１】
図５において、ＬＡＮシステムは、ＬＡＮインタフェースケーブル（給電線路）７０−８，７０−９を用いて電力を供給する給電ハブ７と、給電ハブ７から電力を受電して動作する複数の給電ハブ対応データ端末８，９を含む。複数の給電ハブ対応データ端末は図示では２つの給電ハブ対応データ端末８，９であるが、３つ以上の給電ハブ対応データ端末であってもよい。
【００４２】
給電ハブ７は、端末給電用電源回路７１、給電監視回路７２、給電制御回路７３−８，７３−９、本発明による抵抗型接続検出回路７４ｒ−８，７４ｒ−９、本発明による容量型接続検出回路７４ｃ−８，７４ｃ−９、給電クラス検出回路７５−８，７５−９と、各検出回路７４ｒ−８，７４ｒ−９，７４ｃ−８，７４ｃ−９，７５−８，７５−９の出力を図６の給電制御処理フローチャート例に従って処理し給電制御回路７３−８，７３−９を給電制御する給電管理部７７から構成される。
【００４３】
給電制御回路７３−８，７３−９、本発明による抵抗型接続検出回路７４ｒ−８，７４ｒ−９、本発明による容量型接続検出回路７４ｃ−８，７４ｃ−９、給電クラス検出回路７５−８，７５−９は、複数の給電ハブ対応データ端末分備える。
【００４４】
このうち、給電制御回路７３−８、抵抗型接続検出回路７４ｒ−８、容量型接続検出回路７４ｃ−８、給電クラス検出回路７５−８は、一つの給電ハブ対応データ端末図示では給電ハブ対応データ端末８対応の回路であり、ＬＡＮインタフェースケーブル（給電線路）７０−８を介して給電ハブ対応データ端末８に接続される。
【００４５】
また、給電制御回路７３−９、抵抗型接続検出回路７４ｒ−９、容量型接続検出回路７４ｃ−９、給電クラス検出回路７５−９は、給電ハブ対応データ端末９対応の回路であり、ＬＡＮインタフェースケーブル（給電線路）７０−９を介して給電ハブ対応データ端末９に接続される。
【００４６】
一方、給電ハブ対応データ端末８は、図示では供給優先度の高いデータ端末であり、ＬＡＮインタフェースケーブル（給電線路）７０−８に接続される受電回路８１−８、本発明による抵抗型接続被検出回路８２ｒ−８、本発明による容量型接続被検出回路８２ｃ−８、給電クラス被検出回路８５−８から構成される。
【００４７】
それに対して、給電ハブ対応データ端末９は、図示では供給優先度の低いデータ端末であり、ＬＡＮインタフェースケーブル（給電線路）７０−９に接続される受電回路８１−９、本発明による抵抗型接続被検出回路８２ｒ−９、給電クラス被検出回路８５−９から構成される。
【００４８】
給電ハブ１の抵抗型接続検出回路７４ｒ−８（７４ｒ−９）と、給電ハブ対応データ端末８の抵抗型接続被検出回路８２ｒ−８（給電ハブ対応データ端末９の抵抗型接続被検出回路８２ｒ−９）が対をなし、抵抗型接続被検出回路８２ｒ−８（８２ｒ−９）の状態を抵抗型接続検出回路７４ｒ−８（７４ｒ−９）で検出し、給電管理部７７が取得して、抵抗型接続の有無を判断し、抵抗型接続の有無を認識する。
【００４９】
また、給電ハブ１の容量型接続検出回路７４ｃ−８（７４ｃ−９）と、給電ハブ対応データ端末２の容量型接続被検出回路８２ｃ−８（図示の給電ハブ対応データ端末９では容量型接続被検出回路無し）が対をなす。回路としては、図２のデータ端末の被検出抵抗３２２に並列に容量を接続し、給電ハブ１が２．７Ｖから１０．１Ｖの間の供給電圧Ｖａｂ（４１）をデータ端末に対して供給した時、容量の有無を検出する構成とする。この構成により、容量型接続被検出回路８２ｃ−８（無し）の状態を容量型接続検出回路７４ｃ−８（７４ｃ−９）で検出し、給電管理部７７が取得して、容量型接続の有無を判断し、容量型接続の有無を認識する。
【００５０】
給電ハブ７の給電管理部７７は、抵抗型接続と容量型接続の両方を認識した時供給優先度が高く、抵抗型接続のみ認識した時供給優先度が低いと認識する。
【００５１】
給電ハブ７の給電クラス検出回路７５−８（７５−９）と、給電ハブ対応データ端末８の給電クラス被検出回路８５−８（給電ハブ対応データ端末９の給電クラス被検出回路８５−９）が対をなし、給電クラス被検出回路８５−８（８５−９）の状態を給電クラス検出回路７５−８（７５−９）で検出し、給電管理部７７が取得して、給電クラスを判断して、給電クラスを認識する。
【００５２】
給電ハブ７の給電管理部７７は、給電する電力量が予め定められた電力量を超過または超過と予測される時、認識した給電優先度の低いデータ端末図示ではデータ端末９への電力供給を停止または制限する。
これにより、データ端末が指示する給電優先度に従った給電を行うことが可能となる。
【００５３】
図６Ａ，図６Ｂは、図５の給電ハブ７の給電管理部７７による複数の給電ハブ対応データ端末８，９への給電制御処理フローチャートの例を示す図である。
【００５４】
給電ハブ７は、まず、データ端末８に対する制御を行う。
初期段階としてＩＥＥＥ８０２.３ａｆ規格に基づき、抵抗型接続被検出回路８２ｒ−８の状態を抵抗型接続検出回路７４ｒ−８で検出し、給電管理部７７が取得する（Ｓ６０１）。
次に、給電管理部７７が抵抗型接続被検出回路８２ｒ−８の状態を判断し、抵抗型接続の有無を認識する（Ｓ６０２）。
抵抗型接続有りの場合、次に、容量型接続被検出回路８２ｃ−８の状態を容量型接続検出回路７４ｃ−８で検出し、給電管理部７７が取得する（Ｓ６０３）。
次に、給電管理部７７が容量型接続被検出回路８２ｃ−８の状態を判断し、容量型接続の有無を認識する（Ｓ６０４）。
次に、給電クラス被検出回路８５−８の状態を給電クラス検出回路７５−８で検出し、給電管理部７７が取得する（Ｓ６０５）。
そして、給電制御回路７３−８をＯＮにしてデータ端末８に電力供給を開始する（Ｓ６０６）。
上記Ｓ６０２において抵抗型接続無しの場合、給電制御回路７３−８をＯＦＦにしてデータ端末８に電力供給をしない（Ｓ６０７）。
【００５５】
給電ハブ７は、次に、データ端末９に対する制御を行う。
初期段階としてＩＥＥＥ８０２.３ａｆ規格に基づき、抵抗型接続被検出回路８２ｒ−９の状態を抵抗型接続検出回路７４ｒ−９で検出し、給電管理部７７が取得する（Ｓ６０８）。
次に、給電管理部７７が抵抗型接続被検出回路８２ｒ−９の状態を判断し、抵抗型接続の有無を認識する（Ｓ６０９）。
抵抗型接続有りの場合、次に、容量型接続被検出回路（図示では無し）の状態を容量型接続検出回路７４ｃ−９で検出し、給電管理部７７が取得する（Ｓ６１０）。
次に、給電管理部７７が容量型接続被検出回路の状態を判断し、容量型接続の有無を認識する（Ｓ６１１）。
次に、給電管理部７７は、給電クラス被検出回路８５−９の状態を給電クラス検出回路７５−９で検出し、給電管理部７７が取得する（Ｓ６１２）。
【００５６】
次に、給電管理部７７は、上記Ｓ６０５で取得したデータ端末８の給電クラスと、上記Ｓ６１２で取得したデータ端末９の給電クラスから、供給する電力量を算出する（Ｓ６１３）。
【００５７】
次に、給電管理部７７は、供給する電力量が予め定められた電力量を超過するかを予測判断する（Ｓ６１４）。
【００５８】
Ｓ６１４でＹｅｓの場合、次に、給電管理部７７は、上記Ｓ６０４とＳ６１１での容量型接続の有無を比較してデータ端末８の給電優先度がデータ端末９の給電優先度より大きいかを判断する（Ｓ６１５）。
Ｓ６１５でＮｏの場合、次に、給電管理部７７は、給電制御回路７３−８をＯＦＦにしてデータ端末８への電力供給を停止する（Ｓ６１６）。
そして、次に、給電管理部７７は、給電制御回路７３−９をＯＮにしてデータ端末９に電力供給を開始する（Ｓ６１７）。
上記Ｓ６１４でＮｏの場合も、給電管理部７７は、給電制御回路７３−９をＯＮにしてデータ端末９に電力供給を開始する（Ｓ６１７）。
【００５９】
上記Ｓ６０９で無しの場合および上記Ｓ６１５でＹｅｓの場合は、給電制御回路７３−９をＯＦＦにしてデータ端末９に電力供給をしない（Ｓ６１８）。
【図面の簡単な説明】
【００６０】
【図１】本発明による給電優先度機能を有するＬＡＮシステムの実施の形態の構成を示す図である。
【図２】図１における給電ハブの検出回路とデータ端末の被検出回路の基本回路を示す図である。
【図３】図２における供給電圧の例を示す図である。
【図４Ａ】図１の給電ハブの給電管理部による複数の給電ハブ対応データ端末への給電制御処理フローチャートの例を示す図である。
【図４Ｂ】図１の給電ハブの給電管理部による複数の給電ハブ対応データ端末への給電制御処理フローチャートの例を示す図である。
【図５】本発明による給電優先度機能を有するＬＡＮシステムの他の実施の形態の構成を示す図である。
【図６Ａ】図５の給電ハブの給電管理部による複数の給電ハブ対応データ端末への給電制御処理フローチャートの例を示す図である。
【図６Ｂ】図５の給電ハブの給電管理部による複数の給電ハブ対応データ端末への給電制御処理フローチャートの例を示す図である。
【符号の説明】
【００６１】
１，７：給電ハブ、１０−２，１０−３，７０−８，７０−９：ＬＡＮインタフェースケーブル(給電線路)、１１，７１：端末給電用電源回路、１２，７２：給電監視回路、１３−２，１３−３，７３−８，７３−９：給電制御回路、１４−２，１４−３：接続検出回路、１５−２，１５−３，７５−８，７５−９：給電クラス検出回路、１６−２，１６−３：給電優先度検出回路、１７，７７：給電管理部、２，３，８，９：給電ハブ対応データ端末、２１−２，２１−３，８１−８，８１−９：受電回路、２２−２，２２−３：接続被検出用回路、２３−２，２３−３，８５−８，８５−９：給電クラス被検出回路、２４−２，２４−３：給電優先度被検出回路、３１：給電ハブの検出回路、３２：データ端末の被検出回路、３１１：検出抵抗、３２２：被検出抵抗、４１，４２，４３：一定電圧、７４ｒ−８，７４ｒ−９：抵抗型接続検出回路、７４ｃ−８，７４ｃ−９：容量型接続検出回路、８２ｒ−８，８２ｒ−９：抵抗型接続被検出回路、８２ｃ−８：容量型接続被検出回路。
【図１】
2007288401.tif 000003
【図２】
2007288401.tif 000004
【図３】
2007288401.tif 000005
【図４Ａ】
2007288401.tif 000006
【図４Ｂ】
2007288401.tif 000007
【図５】
2007288401.tif 000008
【図６Ａ】
2007288401.tif 000009
【図６Ｂ】
2007288401.tif 000010